(57)【要約】【課題】開口を蓋体部で閉塞する際のロック操作力の均一化を図りつつ、ロック状態の維持を容易に確保することができるプロテクタ及びワイヤハーネスを提供する。【解決手段】本体部の開口を開閉する蓋体部４１と、蓋体部４１をヒンジ軸Ｐを支点として回動可能に支持するヒンジ部と、ヒンジ軸Ｐと直交する開口縁部に沿って本体部に設けた複数のロック受部と、ヒンジ軸Ｐと直交する縁部に沿いかつロック受部と嵌合可能に蓋体部４１に設けた複数のロック部と、を備え、ロック受部及びロック部には、互いに嵌合可能となるように雌雄が異なりかつヒンジ軸Ｐと直交する方向に沿う幅Ｗ２，Ｗ６とヒンジ軸Ｐに沿う高さの嵌合部３６ｂ，４５ｂを有し、蓋体部４１を回動させて雌側の嵌合部３６ｂと雄側の嵌合部４５ｂとが当接してから嵌合完了するまでの過程における幅方向の相対角度が一致するときを含むように構成されている。【選択図】図６
2016010190.tif 000002
【特許請求の範囲】
【請求項１】
少なくとも一部に開口を有する本体部と、
前記本体部の前記開口を開閉する蓋体部と、
前記本体部に設けられ前記開口に対して前記蓋体部をヒンジ軸を支点として回動可能に支持するヒンジ部と、
前記本体部の前記ヒンジ軸と直交する開口縁部に沿って設けた複数のロック受部と、
前記蓋体部の前記ヒンジ軸と直交する縁部に沿いかつ前記ロック受部と嵌合可能に設けた複数のロック部と、を備え、
前記ロック受部及び前記ロック部には、互いに嵌合可能となるように雌雄が異なりかつ前記ヒンジ軸と直交する方向に沿う幅と前記ヒンジ軸に沿う高さの嵌合部を有するとともに、前記蓋体部を前記ヒンジ軸を支点として回動させて前記雌側の嵌合部と前記雄側の嵌合部とが当接してから嵌合完了するまでの過程における幅方向の相対角度が一致するときを含むように構成されていることを特徴とするプロテクタ。
【請求項２】
前記ロック受部と前記ロック部とは、前記雄側の嵌合部の前記ヒンジ軸と直交する幅及び高さがそれぞれ同じであることを特徴とする請求項１に記載のプロテクタ。
【請求項３】
前記ロック受部と前記ロック部とは、前記雄側の嵌合部の前記幅に対して前記雌側の嵌合部の前記幅の方が広くされるとともに、前記雄側の嵌合部と前記雌側の嵌合部とが当接してから嵌合完了するまでの過程において前記ロック部の幅方向の中心が前記ロック受部の幅方向の中心を通過するときを含むように構成されていることを特徴とする請求項１又は請求項２に記載のプロテクタ。
【請求項４】
前記ロック受部と前記ロック部とは、互いに嵌合状態となったときに係合するよう傾斜した係合面を有することを特徴とする請求項１乃至請求項３の何れか１の請求項に記載のプロテクタ。
【請求項５】
前記傾斜した係合面は、幅方向を基準として前記ヒンジ軸から遠い側よりも前記ヒンジ軸から近い方が接近する方向に向かって傾斜していることを特徴とする請求項４に記載のプロテクタ。
【請求項６】
前記ロック受部及び前記ロック部の少なくとも一方に弾性変形を許容する切欠部を設けたことを特徴とする請求項１乃至請求項５の何れか１の請求項に記載のプロテクタ。
【請求項７】
複数の電線を束ねた電線群と、
前記電線群を構成する前記電線の端部を接続したコネクタと、
前記電線群の少なくとも一部及び前記コネクタの何れか一方を収納するとともに請求項１乃至請求項６の何れか１の請求項に記載の筒状のプロテクタと、を備えることを特徴とするワイヤハーネス。
【発明の詳細な説明】
【技術分野】
【０００１】
本発明は、プロテクタ及びワイヤハーネスに関する。
【背景技術】
【０００２】
自動車等に配索されるワイヤハーネスは、電源用や信号用等の複数の電線を束ねて被覆した電線群と、この電線群を構成する各電線の端部を接続したコネクタと、を備える。また、電線群の少なくとも一部やコネクタを収納し、その保護や配索方向を規定するための筒状のプロテクタを備えるワイヤハーネスも知られている（例えば、特許文献１参照）。
【０００３】
例えば、図１１に示すように、プロテクタ１は、電線群やコネクタ（共に図示せず）を収納するように一面を開放した本体部２と、この本体部２の端部における開口２ａを覆う蓋体部３と、を一体に有する。
【０００４】
本体部２と蓋体部３とは薄肉のヒンジ部４を介して結合され、これにより、蓋体部３を本体部２に対して開閉自在としている。
【０００５】
また、プロテクタ１においては、本体部２の長手方向に沿う２か所に形成した傾斜突起状のロック受部２Ａ，２Ｂと、蓋体部３の長手方向に沿う２か所に形成した枠状のロック部３Ａ，３Ｂと、を一体に設け、互いに嵌合可能としたロック構造を採用している。
【０００６】
ロック受部２Ａ，２Ｂとロック部３Ａ，３Ｂとは、ヒンジ部４を挟んだ両側面にそれぞれ設けられている。
【０００７】
これにより、ヒンジ部４を回動支点として蓋体部３を回動させ、ヒンジ部４に近いロック受部２Ａとロック部３Ａとを先に嵌合させた後に、ヒンジ部４から遠いロック受部２Ｂとロック部３Ｂとを嵌合させることで、本体部２に対する蓋体部３の閉塞状態が維持されるよう構成されている。
【０００８】
ところで、上述したように、蓋体部３の長手方向に沿って複数のロック部３Ａ，３Ｂを設けた場合、ヒンジ部４を回動支点とするロック部３Ａ，３Ｂは、その移動軌跡を円弧と仮定した場合に、ヒンジ部４の回転中心からの半径が異なる。
【０００９】
すなわち、ヒンジ部４に近いロック部３Ａとヒンジ部４から遠いロック部３Ｂとを比較すると、ヒンジ部４に近いロック部３Ａの回転半径の方がヒンジ部４から遠いロック部３Ｂよりも回転半径が小さい。
【００１０】
このため、蓋体部３を開放状態から閉塞状態とする際の蓋体部３の移動軌跡に起因して、特に、ヒンジ部４に近いロック部３Ａの方がヒンジ部４から遠いロック部３Ｂよりも幅方向の傾斜角度がきつくロック受部２Ａに挿入されることとなる。そして、ロック部３Ａとロック受部２Ａとの嵌合が完了したときに、幅方向の角度が相対的に同一となる。
【００１１】
これにより、特に、一部材に二つの穴からなるロック部３Ａ，３Ｂを形成したもののように剛性が高く変形し難い構成では、蓋体部３を閉塞する作業での作業性が低下してしまうという問題が生じていた。
【００１２】
すなわち、ロック受部２Ａ，２Ｂ及びロック部３Ａ，３Ｂは、その当接面にある程度の幅と高さとを有しており、互いに当接してから嵌合完了するまでの間、回転半径に応じた長いストロークで係合する。
【００１３】
したがって、ロック受部２Ａ，２Ｂ及びロック部３Ａ，３Ｂを嵌合する過程で変形する側の剛性が高いと、その剛性如何で作業性が左右されるばかりでなく、ヒンジ部４に近いロック部３Ａの方がヒンジ部４から遠いロック部３Ｂよりも幅方向の傾斜角度がきつく長ストロークでの係合関係となることと相俟って、ロック部３Ａをロック受部２Ａに挿入する際の挿入抵抗が大きくなってしまう。
【００１４】
そこで、図１２に示すように、ヒンジ部４に近いロック受部２Ａの爪の幅ｗ１や高さｈ１を、ヒンジ部４から遠いロック受部２Ｂの爪の幅ｗ２や高さｈ２よりも狭くしたり低くすることで、閉塞作業でのロック操作力の均一化を図り、作業性を向上することが考えられる。
【先行技術文献】
【特許文献】
【００１５】
【特許文献１】特開２００１−２１８３３４号公報
【発明の概要】
【発明が解決しようとする課題】
【００１６】
しかしながら、上記のようなプロテクタ１にあっては、ヒンジ部４に近いロック受部２Ａの爪の幅ｗ１を狭くしたり高さｈ１を低くすることで、蓋体部３を閉塞する際のロック操作力の均一化を図っている。
【００１７】
このため、蓋体部３を開放する際のロック解除力に関して、ヒンジ部４に近いロック受部２Ａの方が、ヒンジ部４より遠いロック受部２Ｂよりも低く不均一となって外れ易いという新たな問題が発生していた。
【００１８】
一方、図１２に示すように、ロック部３Ａ，３Ｂの角部ｐ１〜ｐ４にあっても、その幅ｗ３，ｗ４に応じてヒンジ部４からの距離が異なる。
【００１９】
したがって、これら各角部ｐ１〜ｐ４の移動軌跡がロック受部２Ａ，２Ｂと重なっていると、その部分が引っ掛かりとなって、ロック部３Ａ、３Ｂをロック受部２Ａ，２Ｂに挿入する際の挿入抵抗となる。
【００２０】
このため、ロック部３Ａ、３Ｂの幅ｗ３，ｗ４は、各角部ｐ１〜ｐ４の移動軌跡がロック受部２Ａ，２Ｂと重ならないよう、ロック受部２Ａ，２Ｂの幅ｗ１，ｗ２よりも幅広とせざるを得なくなる。したがって、この幅ｗ３と幅ｗ１、幅ｗ４と幅ｗ２、の差がそのまま蓋体部３のガタの発生要因となってしまうという問題も生じていた。
【００２１】
本発明は、上述のような事情に鑑みてなされたもので、開口を蓋体部で閉塞する際のロック操作力の均一化を図りつつ、ロック状態の維持を容易に確保することができるプロテクタ及びワイヤハーネスを提供することを目的とする。
【課題を解決するための手段】
【００２２】
本発明に係るプロテクタは、上述の課題を解決するために、少なくとも一部に開口を有する本体部と、前記本体部の前記開口を開閉する蓋体部と、前記開口に対して前記蓋体部をヒンジ軸を支点として回動可能に支持するヒンジ部と、前記本体部の前記ヒンジ軸と直交する開口縁部に沿って設けた複数のロック受部と、前記蓋体部の前記ヒンジ軸と直交する縁部に沿いかつ前記ロック受部と嵌合可能に設けた複数のロック部と、を備え、前記ロック受部及び前記ロック部には、互いに嵌合可能となるように雌雄が異なりかつ前記ヒンジ軸と直交する方向に沿う幅と前記ヒンジ軸に沿う高さの嵌合部を有するとともに、前記蓋体部を前記ヒンジ軸を支点として回動させて前記雌側の嵌合部と前記雄側の嵌合部とが当接してから嵌合完了するまでの過程における幅方向の相対角度が一致するときを含むよう構成されている。
【００２３】
本発明のプロテクタは、少なくとも一部に開口を有する本体部と、この開口を開閉する蓋体部と、を有する。蓋体部はヒンジ部のヒンジ軸を回動支点として回動することで開口を開閉する。また、本体部はヒンジ軸と直交する開口縁部に沿う複数のロック受部を有しており、蓋体部はヒンジ軸と直交する縁部に沿いかつロック受部と嵌合可能な複数のロック部を有している。
【００２４】
ここで、ロック受部とロック部とは、互いに嵌合可能となるように雌雄が異なるとともに、ヒンジ軸と直交する方向に沿う幅の嵌合部を有している。また、ロック受部とロック部とは、ヒンジ軸を支点として蓋体部を回動させて開口を閉塞する過程において、ヒンジ軸を中心として非直線的、すなわち所定の回転半径の移動軌跡を経て雌雄の異なる嵌合部が互いに当接し、その後、嵌合することで蓋体部による開口の閉塞状態を維持するようになっている。
【００２５】
そこで、各嵌合部が当接してから嵌合を完了するまでの過程において、幅方向の角度が相対的に同一であるときを含んでいれば、嵌合部がある程度の幅及び高さを備えていたとしても、移動軌跡に対する幅方向の相対的な傾斜角度を緩くすることができるうえ、当接ストロークも短くすることが可能となり、低抵抗な閉塞作業を行うことができる。
【００２６】
したがって、本体部と蓋体部とにヒンジ軸と直交する方向に沿って複数のロック受部及びロック部を設けた場合に、回転半径の小さいヒンジ部に近い側と回転半径の大きいヒンジ部から遠い側とのロック操作力を、嵌合部の幅や高さの相違に頼らずに容易に均一化することができる。
【００２７】
また、複数のロック受部又はロック部の回転半径の小さい側と回転半径の大きい側との幅や高さを考慮する必要性が解消されるため、ロック解除力を回転半径の小さい側と回転半径の大きい側とで均一化することができる。
【００２８】
このように、開口を蓋体部で閉塞する際のロック操作力の均一化を図りつつ、ロック状態の維持を容易に確保することができる。
【００２９】
上記プロテクタにおいて、前記ロック受部と前記ロック部とは、前記雄側の嵌合部の前記ヒンジ軸と直交する幅及び高さがそれぞれ同じであるのが好ましい。
【００３０】
この構成により、ヒンジ軸と直交する方向に沿って複数のロック受部又はロック部を配置した際に、雄側である嵌合部の幅や高さを別々のサイズに設定する必要がなくなり、周辺構造の設計の自由度が増すうえに、汎用性を向上することができる。
【００３１】
上記プロテクタにおいて、前記ロック受部と前記ロック部とは、前記雄側の嵌合部の前記幅に対して前記雌側の嵌合部の前記幅の方が広くされるとともに、前記雄側の嵌合部と前記雌側の嵌合部とが当接してから嵌合完了するまでの過程において前記ロック部の幅方向の中心が前記ロック受部の幅方向の中心を通過するときを含むように構成されるのが好ましい。
【００３２】
例えば、蓋体部を回動させて開口を閉塞する場合、ロック部もロック受部に対して接近する回動軌跡を有するため、ロック部の幅方向と直交する長さに応じてロック受部の幅はロック部の幅よりも広くないとならない。したがって、雌雄一方の嵌合部の幅を他方の嵌合部の幅よりも広くしておけば、引っ掛かり等が発生することがない。
【００３３】
しかも、雄側の嵌合部と雌側の嵌合部とが当接してから嵌合完了するまでの過程においてロック部の幅方向の中心がロック受部の幅方向の中心を通過するときを含むようにすれば、ロック部又はロック受部の雌側の嵌合部の強度の均一化を図ることができる。
【００３４】
この構成により、ヒンジ軸と直交する方向に沿って複数のロック受部又はロック部を配置した際に、雄側である嵌合部の幅や高さを別々のサイズに設定する必要がなくなり、周辺構造の設計の自由度が増すうえに、汎用性を向上することができる。
【００３５】
上記プロテクタにおいて、前記ロック受部と前記ロック部とは、互いに嵌合状態となったときに係合するよう傾斜した係合面を有する構成とするのが望ましい。
【００３６】
すなわち、ヒンジ部を回動支点として蓋体部を回動させることにより、ロック部又はロック受部も同様の回動軌跡を経由するため、雌雄の異なる嵌合部が互いに当接してから嵌合完了するまでの過程において、例え、各嵌合部の幅方向が相対的に同一の角度となる場合を含んだとしても、それ以降の嵌合方向の回動軌跡に関しては各嵌合部の幅方向は回動軌跡に応じて傾斜することとなる。
【００３７】
そこで、各嵌合部の嵌合が完了したときに、回動軌跡の角度に対応する傾斜角度で係合面同士が係合すれば、ガタの発生等を抑制することが可能となる。
【００３８】
したがって、上記プロテクタにおいて、前記傾斜した係合面は、幅方向を基準として前記ヒンジ軸から遠い側よりも前記ヒンジ軸から近い方が接近する方向に向かって傾斜していれば、嵌合部の幅方向の角度を回動軌跡と対応させることができ、良好な嵌合関係を確保することができる。
【００３９】
上記プロテクタにおいて、前記ロック受部及び前記ロック部の少なくとも一方に弾性変形を許容する切欠部を設けるのが好ましい。
【００４０】
すなわち、雌雄の異なる嵌合部が当接してから嵌合するまでの間、ロック部又はロック受部は弾性変形を余儀なくされる。
【００４１】
したがって、この弾性変形を許容するために切欠部を設けていれば、開口を蓋体部で閉塞する際のロック操作力の均一化を図りつつ、ロック状態の維持を容易に確保することができる。
【００４２】
さらに、本発明は、複数の電線を束ねた電線群と、前記電線群を構成する前記電線の端部を接続したコネクタと、前記電線群の少なくとも一部及び前記コネクタの何れか一方を収納するとともに請求項１乃至請求項６の何れか１の請求項に記載の筒状のプロテクタと、を備えるのワイヤハーネスに適用することができる。
【発明の効果】
【００４３】
本発明によれば、開口を蓋体部で閉塞する際のロック操作力の均一化を図りつつ、ロック状態の維持を容易に確保することができる。
【図面の簡単な説明】
【００４４】
【図１】本発明の実施の形態に係るワイヤハーネスを示し、（Ａ）はワイヤーハーネスの平面図、（Ｂ）はワイヤーハーネスの正面図である。
【図２】本発明の実施の形態に係るワイヤハーネスを示し、（Ａ）はロック受部の斜視図、（Ｂ）はロック受部の正面図、（Ｃ）はロック受部の断面図である。
【図３】本発明の実施の形態に係るワイヤハーネスを示し、（Ａ）は他のロック受部の斜視図、（Ｂ）は他のロック受部の正面図、（Ｃ）は他のロック受部の断面図である。
【図４】本発明の実施の形態に係るワイヤハーネスを示し、（Ａ）はロック部の斜視図、（Ｂ）はロック部の正面図、（Ｃ）はロック部の断面図である。
【図５】本発明の実施の形態に係るワイヤハーネスを示し、（Ａ）は他のロック部の斜視図、（Ｂ）は他のロック部の正面図、（Ｃ）は他のロック部の断面図である。
【図６】本発明の実施の形態に係るワイヤハーネスを示し、雄側の嵌合部と雌側の嵌合部との回動軌跡上の状態変化を模式的に示す説明図である。
【図７】本発明の実施の形態に係るワイヤハーネスを示し、（Ａ）は要部の外観斜視図、（Ｂ）は要部の正面図である。
【図８】本発明の実施の形態に係るワイヤハーネスを示し、（Ａ）は他のロック部と他のロック受部とが当接した状態の斜視図、（Ｂ）は他のロック部と他のロック受部とが当接した状態の正面図、（Ｃ）は他のロック部と他のロック受部とが当接した状態の断面図である。
【図９】本発明の実施の形態に係るワイヤハーネスを示し、（Ａ）はロック部とロック受部とが当接した状態の正面図、（Ｂ）はロック部とロック受部とが当接した状態の拡大正面図、（Ｃ）はロック部とロック受部とが当接した状態の断面図である。
【図１０】本発明の実施の形態に係るワイヤハーネスを示し、（Ａ）は他のロック部と他のロック受部とが嵌合した状態の正面図、（Ｂ）は他のロック部と他のロック受部とが嵌合した状態の拡大正面図、（Ｃ）は他のロック部と他のロック受部とが当接した状態の一部を破断した斜視図である。
【図１１】従来のワイヤハーネス用のプロテクタを示す外観斜視図である。
【図１２】従来のワイヤハーネス用のプロテクタを示し、（Ａ）は蓋体部開放状態の要部の正面図、（Ｂ）は蓋体部閉塞状態の要部の正面図、（Ｃ）は一方のロック部とロック受部との嵌合状態の断面図、（Ｄ）は他方のロック部とロック受部との嵌合状態の断面図である。
【発明を実施するための形態】
【００４５】
以下、本発明を実施するための形態について、図面を参照しつつ詳細に説明する。
【００４６】
図１に示すように、ワイヤハーネス１０は、複数の電線１１を束ねた電線群１２と、この電線群１２を覆うコルゲートチューブやテープ等の被覆体１３と、電線群１２を構成する各電線１１の端部を接続したコネクタ１４と、電線群１２の一部を収納した筒状のプロテクタ２０と、を備える。なお、以下の説明において、図１に示した電線１１、電線群１２、被覆体１３、コネクタ１４の図示及び説明は省略し、必要に応じて「ハーネス本体」と総称するものとする。
【００４７】
本実施の形態に係るプロテクタ２０は、本体部３０と、蓋体部４１をヒンジ部４２を介して一体に設けた主体部４３からなる蓋体４０と、を有しており、これら各部は任意の樹脂材料を用いて形成されている。
【００４８】
本体部３０は、角筒状の一面を軸線方向に沿う全長を解放して開口３１を形成した樹脂製の長尺部材であって、開口３１と対向する底板３２と、底板３２の縁部から垂直に立ち上がる側板３３，３４とを備えている。
【００４９】
側板３３，３４には、開口３１の開口縁部に沿うように、複数のロック受部３５とロック受部３６とが一体に形成されている。
【００５０】
ロック受部３５は、側板３３，３４の各端部から略均等間隔を開けて複数設けられている。なお、ロック受部３５は、側板３３と側板３４とで同一形状のものが本体部３０の軸線に対して対称に設けられているため、以下の説明においては一方の側板３３に設けられたロック受部３５について説明する。ロック受部３５は、図２に示すように、側板３３の外壁面から立ち上がる一対の脚部３５ａと、脚部３５ａの間に跨る嵌合部３５ｂと、嵌合部３５ｂと側板３３の外壁面との間の間隙からなる挿入口３５ｃと、を有する。
【００５１】
嵌合部３５ｂは、図示上向きに拡開するように傾斜した傾斜ガイド面３５ｄと、嵌合部３５ｂの底面である係合受面３５ｅと、を備えている。また、嵌合部３５ｂは、係合受面３５ｅの下方に、ヒンジ軸Ｐと直交する開口縁部に沿って所定の開口幅Ｗ１と、ヒンジ軸Ｐに沿う肉厚分の高さＴ１と、を有する空間部３５ｆを有している。これにより、嵌合部３５ｂは、雌雄の異なる一方としての雌側の嵌合部３５ｂとなっている。
【００５２】
ロック受部３６は、側板３３，３４の各端部に形成されたロック受部３５と次に隣接する２番目のロック受部３５との間であってかつ２番目のロック受部３５に寄った位置に設けられている。なお、ロック受部３６は、側板３３と側板３４とで同一形状のものが本体部３０の軸線に対して対称に設けられているため、以下の説明においては一方の側板３３に設けられたロック受部３６について説明する。ロック受部３６は、図３に示すように、側板３３の外壁面から立ち上がる一対の脚部３６ａと、脚部３６ａの間に跨る嵌合部３６ｂと、嵌合部３６ｂと側板３３の外壁面との間の間隙からなる挿入口３６ｃと、を有する。
【００５３】
嵌合部３６ｂは、図示上向きに拡開するように傾斜した傾斜ガイド面３６ｄと、嵌合部３６ｂの底面である傾斜係合受面３６ｅと、を備えている。また、嵌合部３６ｂは、ヒンジ軸Ｐと直交する開口縁部に沿う所定の開口幅Ｗ２と、ヒンジ軸Ｐに沿う肉厚分の高さＴ２と、を有する空間部３６ｆを有している。これにより、嵌合部３６ｂは、雌雄の異なる一方としての雌側の嵌合部３６ｂとなっている。なお、一方の脚部３６ａと嵌合部３６ｂとの間には、嵌合部３６ｂの弾性変形を許容する切欠部３６ｇが形成されている。
【００５４】
傾斜係合受面３６ｅは、幅方向を基準としてヒンジ軸Ｐから遠い側、すなわち、図３（Ｂ）の図示左側よりもヒンジ軸Ｐから近い方、すなわち、図３（Ｂ）の図示右側が接近する方向である図示上向きに傾斜している。
【００５５】
蓋体４０は、主体部４３の端部にヒンジ部４２を介して蓋体部４１を一体に有している。主体部４３と蓋体部４１とは、その全体で開口３１を閉塞しており、端部寄りの一部の開口３１を蓋体部４１で開閉可能としている。蓋体４０は、開口３１に対向する主体部４３と蓋体部４１とで開口３１の全体を開閉するように、本体部３０に対して着脱可能となっている。
【００５６】
主体部４３は、両縁部に沿ってロック受部３５と嵌合する複数のロック部４４を有する。また、蓋体部４１は、端部寄りの両縁部にロック受部３５と嵌合するロック部４４と、ヒンジ部４２の近傍の両縁部にロック受部３６と嵌合するロック部４５と、を有する。
【００５７】
ロック部４４は、図４に示すように、蓋体部４１の縁部から図示下向きに突出する基部４４ａと、基部４４ａの外壁面から突出する嵌合部４４ｂと、を一体に有する。
【００５８】
嵌合部４４ｂは、基部４４ａの突出端に向かうほど先細りとなるように傾斜した傾斜面４４ｃと、係合受面３５ｅと係合する係合面４４ｄと、を備え、基部４４ａとで全体がランス状に形成されている。また、嵌合部４４ｂは、ヒンジ軸Ｐと直交する縁部に沿いかつ開口幅Ｗ１よりも狭い所定の幅Ｗ３の基部４４ａよりもさらに狭い幅Ｗ４と、ヒンジ軸Ｐに沿う肉厚分の高さＴ３と、を有する。なお、嵌合部４４ｂは、基部４４ａの幅方向略中央に位置している。
【００５９】
ロック部４５は、図５に示すように、蓋体部４１の縁部から図示下向きに突出する基部４５ａと、基部４５ａの外壁面から突出する嵌合部４５ｂと、を一体に有する。
【００６０】
嵌合部４５ｂは、基部４５ａの突出端に向かうほど先細りとなるように傾斜した傾斜面４５ｃと、傾斜係合受面３６ｅと係合する傾斜係合面４５ｄと、を備え、基部４５ａとで全体がランス状に形成されている。また、嵌合部４５ｂは、ヒンジ軸Ｐと直交する縁部に沿いかつ開口幅Ｗ２よりも狭い所定の幅Ｗ５の基部４５ａよりもさらに狭い幅Ｗ６と、嵌合部４５ｂの傾斜に沿った幅Ｗ７と、ヒンジ軸Ｐに沿う肉厚分の高さＴ４と、を有する。なお、嵌合部４５ｂは、基部４５ａの幅方向において幅Ｗ５と幅Ｗ６との差分だけヒンジ部４２に片寄って位置している。さらに、傾斜係合面４５ｄは傾斜係合受面３６ｅと方向及び角度が同じとなるように傾斜している。
【００６１】
このように、プロテクタ２０は、少なくとも一部に開口３１を有する本体部３０と、本体部３０の開口３１を開閉する蓋体部４１と、開口３１に対して蓋体部４１をヒンジ軸Ｐを支点として回動可能に支持するヒンジ部４２と、本体部３０のヒンジ軸Ｐと直交する開口縁部に沿って設けた複数のロック受部３５，３６と、蓋体部４１のヒンジ軸Ｐと直交する縁部に沿いかつロック受部３５，３６と嵌合可能に設けた複数のロック部４４，４５と、を有する。
【００６２】
ここで、ロック受部３６及びロック部４５は、互いに嵌合可能となるように雌雄が異なり、かつヒンジ軸Ｐと直交する方向に沿う幅Ｗ２，Ｗ６及びヒンジ軸Ｐに沿う高さＴ２，Ｔ４の嵌合部３６ｂ，４５ｂを有する。
【００６３】
例えば、雌側の嵌合部３６ｂが固定で蓋体部４１のみをヒンジ部４２のヒンジ軸Ｐを支点に回動させた場合、図６に模式的に示すように、図示破線の雄側の嵌合部４５ｂは、図示１点鎖線の位置で雌側の嵌合部３６ｂと当接する。そして、この当接位置から図示２点鎖線の嵌合が完了する位置に至る過程において、図示実線で示すように、幅方向の相対角度が一致するときを含むよう構成されている。
【００６４】
このように、ロック受部３６とロック部４５とは、互いに嵌合可能となるように雌雄が異なるとともに、ヒンジ軸Ｐと直交する方向に沿う幅Ｗ２，Ｗ６の嵌合部３６ｂ，４５ｂを有している。また、ロック受部３６とロック部４５とは、ヒンジ軸Ｐを支点として蓋体部４１を回動させて開口３１を閉塞する過程において、ヒンジ軸Ｐを中心として非直線的、すなわち所定の回転半径の移動軌跡を経て雌雄の異なる嵌合部３６ｂ，４５ｂが互いに当接し、その後、嵌合することで蓋体部４１による開口３１の閉塞状態を維持するようになっている。
【００６５】
そして、各嵌合部３６ｂ，４５ｂが当接して嵌合するまでの過程において、幅方向の角度が相対的に同一であるときを含んでいれば、嵌合部３６ｂ，４５ｂがある程度の幅Ｗ２，Ｗ６及び高さＴ２，Ｔ４を備えていたとしても、移動軌跡に対する幅方向の相対的な傾斜角度を緩くすることができるうえ、そのストロークも短くすることが可能となり、低抵抗な閉塞作業を行うことができる。
【００６６】
したがって、本体部３０と蓋体部４１とにヒンジ軸Ｐと直交する方向に沿って複数のロック受部３５，３６及びロック部４４，４５を設けた場合に、回転半径の小さいヒンジ部４２に近い側のロック受部３６及びロック部４５に対して回転半径の大きいヒンジ部４２から遠い側のロック受部３５及びロック部４４とのロック操作力を、嵌合部３６ｂ，４５ｂの各幅Ｗ１〜Ｗ６（Ｗ７）や各高さＴ１〜Ｔ４の相違に頼らずに容易に均一化することができる。
【００６７】
また、回転半径の小さい側のロック受部３６及びロック部４５と回転半径の大きい側のロック受部３５及びロック部４４との各幅Ｗ１〜Ｗ６（Ｗ７）や各高さＴ１〜Ｔ４を考慮する必要性が解消されるため、ロック解除力を回転半径の小さい側のロック受部３６及びロック部４５と回転半径の大きい側のロック受部３５及びロック部４４とで均一化することができる。
【００６８】
このように、開口３１を蓋体部４１で閉塞する際のロック操作力の均一化を図りつつ、ロック状態の維持を容易に確保することができる。
【００６９】
なお、図６では、嵌合部３６ｂと嵌合部４５ｂとの関係で示したが、プロテクタ２０において、ロック部４４，４５は、嵌合部４４ｂ，４５ｂのヒンジ軸Ｐと直交する幅Ｗ４，Ｗ６及び高さＴ３，Ｔ４がそれぞれ同じであるのが好ましい。なお、嵌合部４４ｂの幅Ｗ４と嵌合部４５ｂの幅Ｗ７とを同じに設定するのがより一層好ましい。
【００７０】
すなわち、ヒンジ軸Ｐと直交する方向に沿って複数のロック部４４，４５を配置した際に、雄側である嵌合部４４ｂ，４５ｂの幅Ｗ４，Ｗ６や高さＴ３，Ｔ４を別々のサイズに設定する必要がなくなり、周辺構造の設計の自由度が増すうえに、汎用性を向上することができる。
【００７１】
また、プロテクタ２０において、雄側の嵌合部４４ｂ，４５ｂの幅Ｗ４，Ｗ６に対して雌側の嵌合部３５ｂ，３６ｂの開口幅Ｗ１，Ｗ２の方が広くされる。しかも、雄側の嵌合部４４ｂ，４５ｂと雌側の嵌合部３５ｂ，３６ｂとが当接してから嵌合が完了するまでの過程において嵌合部３６ｂ及び嵌合部４５ｂの幅方向の中心がロック受部３６の幅方向の中心を通過するときを含むのが好ましい。この際、図６の実線で示すように、幅方向の相対角度が一致するときと嵌合部３６ｂ及び嵌合部４５ｂの幅方向の中心がロック受部３６の幅方向の中心を通過するときとが同じタイミングであるのがより一層好ましい。
【００７２】
例えば、蓋体部４１を回動させて開口３１を閉塞する場合、ロック部４４，４５もロック受部３５，３６に対して接近する回動軌跡を有するため、ロック部４４，４５の幅方向と直交する突出長さＨ１，Ｈ２に応じてロック受部３５，３６の開口幅Ｗ１，Ｗ２はロック部４４，４５の幅Ｗ３，Ｗ５よりも広くなければならない。したがって、雌側の嵌合部３５ｂ，３６ｂの開口幅Ｗ１，Ｗ２を、雄側の嵌合部４４ｂ，４５ｂの幅Ｗ４，Ｗ６（Ｗ７）のみならず、ロック部４４，４５の幅Ｗ３，Ｗ５よりも広くしておけば、引っ掛かり等が発生することがない。
【００７３】
しかも、雄側の嵌合部４４ｂ，４５ｂと雌側の嵌合部３５ｂ，３６ｂとが当接してから嵌合が完了するまでの過程においてロック部４４，４５の幅方向の中心がロック受部３５，３６の幅方向の中心を通過するときを含むようにすれば、ロック受部３５，３６の嵌合部３５ｂ，３６ｂの強度の均一化を図ることができる。
【００７４】
すなわち、ヒンジ軸Ｐと直交する方向に沿って複数のロック受部３５，３６又はロック部４４，４５を配置した際に、雄側である嵌合部４４ｂ，４５ｂの幅や高さを別々のサイズに設定する必要がなくなり、周辺構造の設計の自由度が増すうえに、汎用性を向上することができる。
【００７５】
以下、本実施の形態に係る作用を詳細に説明する。なお、以下の説明においては、ハーネス本体を本体部３０に収納したものとして説明する。
【００７６】
図７に示すように、蓋体部４１を開放した状態からヒンジ部４２のヒンジ軸Ｐを支点として閉塞方向に回動させると、先ずヒンジ部４２に近いロック部４５がロック受部３６の挿入口３６ｃに臨んで嵌合部３６ｂに嵌合部４５ｂが当接する。
【００７７】
この状態から、蓋体部４１をさらに閉塞方向に回動させると、嵌合部３６ｂの傾斜ガイド面３６ｄと嵌合部４５ｂの傾斜面４５ｃとが当接する。これにより、図８（Ａ）に示すように、嵌合部３６ｂの中央付近が膨らむように変形しつつ、図８（Ｃ）に示すように、嵌合部３６ｂに面倒れが発生し、嵌合部４５ｂの更なる挿入が許容される。
【００７８】
この際、挿入口３６ｃのヒンジ軸Ｐと直交する方向の幅Ｗ２は、基部４５ａの幅Ｗ５よりも広いことから、上述した変形の容易性を確保するとともに、ロック部４５の回動軌跡への引っ掛かり防止に対応することができる。また、嵌合部３６ｂは、傾斜係合受面３６ｅを有することから、ロック部４５の回動軌跡に起因する挿入始期側、すなわち、図８（Ｂ）において左側の突出長さが長くなっている。このため、上述した膨らみ方向の変形及び面倒れが挿入後期側とで剛性が異なることを抑制するため、切欠部３６ｇが形成されている。なお、切欠部３６ｇの長さは嵌合部３６ｂのヒンジ部４２に近い挿入後期側の長さと略同じとすることにより変形に伴う荷重の均衡を図ることができる。
【００７９】
そして、さらなる蓋体部４１を回動させると、ロック受部３６とロック部４５との当接状態が進むとともに、図９に示すように、今度はヒンジ部４２から遠いロック部４４がロック受部３５の挿入口３５ｃに臨んで嵌合部３５ｂに嵌合部４４ｂが当接する。
【００８０】
この状態から、蓋体部４１をさらに閉塞方向に回動させると、嵌合部３５ｂの傾斜ガイド面３５ｄと嵌合部４４ｂの傾斜面４４ｃとが当接する。これにより、嵌合部３５ｂの中央付近が膨らむように変形しつつ、図９（Ｃ）に示すように、嵌合部３６ｂに面倒れが発生し、嵌合部４４ｂの更なる挿入が許容される。
【００８１】
この際、挿入口３５ｃのヒンジ軸Ｐと直交する方向の開口幅Ｗ１は、基部４４ａの幅Ｗ３よりも広いことから、上述した変形の容易性を確保するとともに、ロック部４４の回動軌跡への引っ掛かり防止に対応することができる。
【００８２】
なお、ロック部４４の基部４４ａの幅Ｗ３は、ロック部４５の基部４５ａの幅Ｗ５よりも幅広とされ、ロック部４４の剛性が確保されている。
【００８３】
これに対し、ロック部４４の嵌合部４４ｂの幅Ｗ４及び高さＴ３とロック部４５の嵌合部４５ｂの幅Ｗ６及び高さＴ４は、それぞれ同じに設定されている。
【００８４】
そして、蓋体部４１のさらなる回動により、開口３１を完全に閉塞した状態となった時に、ロック受部３５，３６の嵌合部３５ｂ，３６ｂに対するロック部４４，４５の嵌合部４４ｂ，４５ｂの嵌合が完了する。
【００８５】
また、この嵌合部３５ｂに対する嵌合部４４ｂの当接から嵌合が完了に至る過程、及び嵌合部３６ｂに対する嵌合部４５ｂの当接から嵌合が完了に至る過程において、これらは幅方向の相対角度が一致するとともに幅方向の中心が一致するときを含んでいる。
【００８６】
なお、図では上述したタイミングは図示していないが、その直前の状態が図８（Ｂ）及び図９（Ｂ）となっている。そして、ロック受部３５，３６とロック部４４，４５とは、嵌合部３５ｂ，３６ｂを嵌合部４４ｂ，４５ｂが乗り越えることによって、係合受面３５ｅと係合面４４ｄ、傾斜係合受面３６ｅと傾斜係合面４５ｄとが弾発係合し、図１０（Ａ）に示すように、互いに嵌合が完了する。
【００８７】
この際、嵌合部３６ｂと嵌合部４５ｂとは、図１０（Ｂ），（Ｃ）に示すように、ヒンジ部４２に向かって図示上向き、すなわち、回動軌跡に対して略直交する角度で互いに隙間なく係合していることから、蓋体部４１の開放方向への回動操作力に対して最大強度での面係合状態を確保することができる。
【００８８】
これにより、例えば、ハーネス本体の配索作業やコネクタ１４の接続作業において、ロック受部３６とロック部４５との嵌合が外れてしまうことを抑制することができる。
【００８９】
なお、ロック受部３５とロック部４４とは、ヒンジ部４２から遠くに位置して回動軌跡も大きく、図９に示したように、嵌合部３５ｂと嵌合部４４ｂとの相対位置関係の変化も緩やかであるものの、非直線的な回動軌跡であることに変わりはない。
【００９０】
したがって、蓋体部４１のロック受部３５及びロック部４４は、主体部４３のロック受部３５及びロック部４４とは同一のものを配置したが、蓋体部４１のロック受部３６及びロック部４５と同様の構成を採用することができる。
【００９１】
すなわち、嵌合部３５ｂの係合受面３５ｅ及び嵌合部４４ｂの係合面４４ｄを、嵌合部３６ｂの傾斜係合受面３６ｅ及び嵌合部４５ｂの傾斜係合面４５ｄと同様に、互いに嵌合した状態においてヒンジ部４２に向けて接近する方向に傾斜させてもよい。この際、その傾斜角度は、嵌合部４４ｂの回動軌跡に応じて略直交する角度とするのが望ましい。
【００９２】
上述したように、本実施の形態に係るプロテクタ２０は、ロック受部３５，３６とロック部４４，４５、特にヒンジ軸Ｐに近い雌側の嵌合部３６ｂに対する雄側の嵌合部４５ｂにおける回動軌跡は非常に小さい円弧となる。このため、嵌合部３６ｂと嵌合部４５ｂとは、互いに嵌合状態となったときに隙間なく係合するように傾斜設定した傾斜係合面４５ｄと傾斜係合受面３６ｅとを有する構成を採用している。
【００９３】
すなわち、ヒンジ部４２を回動支点として蓋体部４１を回動させることにより、ロック部４５又はロック受部３６も同様の回動軌跡を経由する。このため、嵌合部３６ｂ，４５ｂの嵌合が完了したときには、例え、嵌合部３６ｂ，４５ｂの幅方向が相対的に同一の角度となる場合を含んだとしても、それ以降の嵌合方向の回動軌跡に関しては嵌合部３６ｂ，４５ｂの幅方向は回動軌跡に応じて傾斜することとなる。
【００９４】
そこで、各嵌合部３６ｂ，４５ｂの嵌合が完了したときに、回動軌跡の角度と直交する傾斜角度で嵌合部３６ｂ，４５ｂが嵌合すれば、角度差に起因する隙間によってガタの発生等を抑制することが可能となる。
【００９５】
したがって、傾斜係合面４５ｄと傾斜係合受面３６ｅとを、幅方向を基準としてヒンジ軸Ｐから遠い側よりもヒンジ軸Ｐから近い方が接近する方向に傾斜させれば、嵌合部３６ｂ，４５ｂの幅方向の角度を回動軌跡に対応させることができ、良好な嵌合関係を確保することができる。
【００９６】
また、ロック受部３６には、嵌合部３６ｂの弾性変形を許容する切欠部３６ｇを設けている。
【００９７】
一方、嵌合部４５ｂが当接してから嵌合するまでの間、ロック受部３６の嵌合部３６ｂは弾性変形を余儀なくされる。
【００９８】
したがって、この弾性変形を許容するために切欠部３６ｇを設けていれば、開口３１を蓋体部４１で閉塞する際のロック操作力の均一化を図りつつ、ロック状態の維持を容易に確保することができる。
【００９９】
また、上記実施の形態では、本体部３０を蓋体４０と別々とし、蓋体４０に蓋体部４１を一体に設けた構成を開示したが、例えば、本体部３０に蓋体部４１をヒンジ部４２を介して一体に形成したものにも適用可能である。また、ヒンジ部４２は、薄肉ヒンジに限定されるものではなく、別体の軸部材を介して本体部３０と蓋体部４１とを回動可能に連結した蝶番構造としてもよい。
【０１００】
このように、本発明によれば、開口３１を有する本体部３０と、開口３１を開閉する蓋体部４１と、開口３１に対して蓋体部４１をヒンジ軸Ｐを支点として回動可能に支持するヒンジ部４２と、本体部３０のヒンジ軸Ｐと直交する開口縁部に沿って設けた複数のロック受部３５，３６と、蓋体部４１のヒンジ軸Ｐと直交する縁部に沿いかつロック受部３５，３６と嵌合可能に設けた複数のロック部４４，４５と、を備え、ロック受部３６及びロック部４５には、互いに嵌合可能となるように雌雄が異なりかつヒンジ軸Ｐと直交する方向に沿う幅Ｗ２，Ｗ６とヒンジ軸Ｐに沿う高さＴ２，Ｔ４の嵌合部３６ｂ，４５ｂを有するとともに、蓋体部４１をヒンジ軸Ｐを支点として回動させて雌側の嵌合部３６ｂと雄側の嵌合部４５ｂとが当接してから嵌合完了するまでの過程における幅方向の相対角度が一致するときを含むように構成されていることにより、開口３１を蓋体部４１で閉塞する際のロック操作力の均一化を図りつつ、ロック状態の維持を容易に確保することができる。
【０１０１】
以上のように、本発明は、開口を蓋体部で閉塞する際のロック操作力の均一化を図りつつ、ロック状態の維持を容易に確保することができるという効果を有し、樹脂製のプロテクタ及びこのプロテクタを有するワイヤハーネス全般に有用である。
【符号の説明】
【０１０２】
１０  ワイヤハーネス
１１  電線
１２  電線群
１４  コネクタ
２０  プロテクタ
３０  本体部
３１  開口
３５  ロック受部
３５ｂ  嵌合部
３６  ロック受部
３６ｂ  嵌合部
３６ｅ  傾斜係合受面
４１  蓋体部
４２  ヒンジ部
４４  ロック部
４４ｂ  嵌合部
４５  ロック部
４５ｂ  嵌合部
４５ｄ  傾斜係合面
Ｗ１  開口幅
Ｗ２  開口幅
Ｗ４  幅
Ｗ６  幅
Ｔ１  高さ
Ｔ２  高さ
Ｔ３  高さ
Ｔ４  高さ
Ｐ  ヒンジ軸
【図１】
2016010190.tif 000003
【図２】
2016010190.tif 000004
【図３】
2016010190.tif 000005
【図４】
2016010190.tif 000006
【図５】
2016010190.tif 000007
【図６】
2016010190.tif 000008
【図７】
2016010190.tif 000009
【図８】
2016010190.tif 000010
【図９】
2016010190.tif 000011
【図１０】
2016010190.tif 000012
【図１１】
2016010190.tif 000013
【図１２】
2016010190.tif 000014